(57)【要約】  移動体に乗る個人に向けたメディアコンテンツを提供するデバイスおよび方法、ならびに個人ユーザにメディアコンテンツを提供するデバイスに電力供給するための、移動体への電力の急速蓄積のためのデバイスおよび方法が、本明細書に開示される。開示のデバイスおよび方法は、そのような移動体が、移動体に設置された電子部品に電力供給することを可能とする。さらに、開示のデバイスおよび方法は、移動体の安全性または完全性を損なうことなく、メディア配信デバイスを移動体の安全バーまたは他の部分に固定することを可能とする。【選択図】図７Ａ
2021501428.tif 000002
【特許請求の範囲】
【請求項１】
ディスプレイ、プロセッサ、およびコンピュータ可読メモリを有するメディア配信デバイスを備えるメディア配信識別システムであって、前記プロセッサは、前記コンピュータ可読メモリに接続され、前記メディア配信デバイスは、充電結合および少なくとも１つのエネルギー蓄積装置を備える１つ以上の電力装置に動作可能に連結され、前記メディア配信デバイスは、個人識別装置をさらに備え、前記個人識別装置は、前記メディア配信デバイスのユーザに関する情報を有するタグから情報を得るように構成される、メディア配信識別システム。
【請求項２】
前記メディア配信デバイスに接続された１つ以上のサーバをさらに備える、請求項１に記載のメディア配信識別システム。
【請求項３】
前記個人識別装置は、前記タグから情報を受信するためのアンテナを備える、請求項１に記載のメディア配信識別システム。
【請求項４】
前記個人識別装置は、前記タグへ情報を送信しかつ前記タグから情報を受信するためのアンテナを備える、請求項１〜３のいずれかに記載のメディア配信識別システム。
【請求項５】
前記個人識別装置は、１つ以上の無線周波数を通じて情報を送信または受信するための回路を備える、請求項１〜４のいずれかに記載のメディア配信識別システム。
【請求項６】
前記メディア配信デバイス識別システムは、前記コンピュータ可読メモリに保存された命令を備える、請求項１〜５のいずれかに記載のメディア配信デバイス識別システム。
【請求項７】
前記プロセッサは、前記コンピュータ可読メモリに保存された命令にアクセスして、ｉ）前記ユーザのアイデンティティに関して前記１つ以上のサーバに情報を要求し、ｉｉ）前記ユーザの好みに関して前記１つ以上のサーバに情報を要求する、請求項１〜６のいずれかに記載のメディア配信識別システム。
【請求項８】
前記プロセッサは、前記コンピュータ可読に保存された命令にアクセスして、ｉｉｉ）前記ユーザのアイデンティティおよび好みに関して前記１つ以上のサーバから情報を受信し、ｉｖ）前記ユーザの好みに基づいてコンテンツを提供する、請求項７に記載のメディア配信識別システム。
【請求項９】
前記プロセッサは、前記コンピュータ可読メモリに保存された命令にアクセスして、ｉ）前記ユーザの入力に基づいて、前記１つ以上のサーバから前記ユーザにコンテンツを提供し、ｉｉ）前記タグから得られた情報および前記ユーザの好みに関して前記１つ以上のサーバに保存された情報により決定される前記ユーザのアイデンティティに基づいて、前記１つ以上のサーバにコンテンツを要求する、請求項１〜８のいずれかに記載のメディア配信識別システム。
【請求項１０】
前記ディスプレイはタッチスクリーンである、請求項１〜９のいずれかに記載のメディア配信識別システム。
【請求項１１】
前記プロセッサは、前記コンピュータ可読媒体に保存された命令にアクセスして、ｉ）前記ユーザにコンテンツを配信し、ｉｉ）前記ユーザからの入力に基づいて、前記１つ以上のサーバに保存されたコンテンツを変える、請求項２に記載のメディア配信識別システム。
【請求項１２】
前記メディア配信システムは、ネットワーク接続を備える、請求項１に記載のメディア配信識別システム。
【請求項１３】
前記ネットワーク接続は、ＷｉＦｉネットワークまたはセルラーネットワークである、請求項１２に記載のメディア配信識別システム。
【請求項１４】
前記１つ以上のサーバは、広告コンテンツサーバ、ディスプレイＯＴＡリフレッシュサーバ、およびＡＭＴコンテンツサーバからなる群から選択される、請求項２に記載のメディア配信識別システム。
【請求項１５】
前記１つ以上のサーバは、事業所に設置された業務専用コンテンツサーバである、請求項２に記載のメディア配信識別システム。
【請求項１６】
前記メディア配信システムは、前記プロセッサ、コンピュータ可読メモリ、個人識別装置、およびディスプレイを保持するハウジングを備える、請求項１に記載のメディア配信識別システム。
【請求項１７】
前記ハウジングは、膨らんだ部分に接続された平らな部分を備える、請求項１６に記載のメディア配信識別システム。
【請求項１８】
前記膨らんだ部分は、前記プロセッサ、コンピュータ可読メモリ、および回路を含む、請求項１７に記載のメディア配信識別システム。
【請求項１９】
前記平らな部分は、前記ディスプレイを備える、請求項１７に記載のメディア配信識別システム。
【請求項２０】
前記ハウジングは、２つの成形材料片を備える、請求項１７に記載のメディア配信識別システム。
【請求項２１】
前記ハウジングは、ハウジング内に設置されたフィンをさらに備える、請求項１７に記載のメディア配信識別システム。
【請求項２２】
前記ハウジングは、移動体の安全バーに取り付けられるクランプを備える、請求項１７に記載のメディア配信識別システム。
【請求項２３】
前記メディア配信識別システムは、電子マルチメディア部品を備える、請求項１に記載のメディア配信識別システム。
【請求項２４】
前記電子マルチメディア部品は、１つ以上のポートを備える、請求項２３に記載のメディア配信識別システム。
【請求項２５】
前記移動体はチェアリフトである、請求項２２に記載のメディア配信識別システム。
【請求項２６】
前記コンピュータ可読メモリは、ストリーミングデータ、Ｅメールデータ、テキストデータ、ビデオデータ、メッセージ通信データ、および音声データからなる群から選択される情報を保存するように構成される、請求項１に記載のメディア配信識別システム。
【請求項２７】
前記プロセッサは、前記コンピュータ可読メモリに保存された命令にアクセスして、ｉ）前記ディスプレイにビデオデータをストリーミングする、請求項１に記載のメディア配信識別システム。
【請求項２８】
前記ハウジングは、印刷媒体の取り付けを可能とするように構成される表面をさらに備える、請求項１に記載のメディア配信識別システム。
【請求項２９】
前記ディスプレイは、前記印刷媒体の取り付けを可能とするように構成される前記表面内に設置される、請求項２８に記載のメディア配信識別システム。
【請求項３０】
前記ハウジングは、前記表面および前記ディスプレイを保護するように構成されるカバーのための取り付け具をさらに備える、請求項２８に記載のメディア配信識別システム。
【請求項３１】
前記フィンは、前記ハウジングへの支持を提供する、請求項２１に記載のメディア配信識別システム。
【請求項３２】
前記充電結合は、第１充電コイルを備える、請求項１に記載のメディア配信識別システム。
【請求項３３】
前記充電結合は、動作可能な連結を備える、請求項１に記載のメディア配信識別システム。
【請求項３４】
前記動作可能な連結は、前記充電結合をエネルギー蓄積装置に接続する、請求項３３に記載のメディア配信識別システム。
【請求項３５】
前記エネルギー蓄積装置は、少なくとも１つのコンデンサである、請求項３４に記載のメディア配信識別システム。
【請求項３６】
前記エネルギー蓄積装置は、移動体に取り付けられる、請求項３３に記載のメディア配信識別システム。
【請求項３７】
前記充電結合は、第２充電コイルを備える、請求項１に記載のメディア配信識別システム。
【請求項３８】
前記第１充電コイルは、前記エネルギー蓄積装置に動作可能に連結される、請求項３４に記載のメディア配信識別システム。
【請求項３９】
ユーザにメディアを配信する方法であって、前記方法は、
ａ．ディスプレイ、プロセッサ、コンピュータ可読メモリ、および個人識別装置を備えるメディア配信デバイスを提供することであって、前記プロセッサは、コンピュータ可読メモリに接続される、提供すること、
ｂ．充電結合および少なくとも１つのエネルギー蓄積装置を備える少なくとも１つの電力装置を提供することであって、前記少なくとも１つの電力装置は、前記メディア配信デバイスに動作可能に連結される、提供すること、
ｃ．前記個人識別装置から前記ユーザに関する情報を得ること、
ｄ．前記プロセッサが、前記個人識別装置からの情報に応答する前記コンピュータ可読メモリからの第１命令にアクセスすること、
ｅ．前記プロセッサが、前記ユーザにメディアコンテンツを提供することに関する前記コンピュータ可読メモリからの第２命令にアクセスすること、
ｆ．前記プロセッサが、１つ以上のサーバから前記ユーザに関する情報を得る第３命令にアクセスすること、
ｇ．前記プロセッサが、前記ディスプレイにメディアコンテンツを提供する第４命令にアクセスすること、
を含む、方法。
【請求項４０】
前記プロセッサが、前記メディア配信デバイスに接続された１つ以上のサーバと通信する命令を実行することをさらに含む、請求項３９に記載の方法。
【請求項４１】
前記個人識別装置は、前記タグから情報を受信するためのアンテナを備える、請求項３９に記載の方法。
【請求項４２】
前記個人識別装置は、前記タグへ情報を送信しかつ前記タグから情報を受信するためのアンテナを備える、請求項３９に記載の方法。
【請求項４３】
前記個人識別装置は、１つ以上の無線周波数を通じて情報を送信または受信するための回路を備える、請求項３９に記載の方法。
【請求項４４】
前記メディア配信デバイスは、前記コンピュータ可読メモリに保存された命令を備える、請求項４０に記載の方法。
【請求項４５】
前記プロセッサは、前記コンピュータ可読メモリに保存された命令にアクセスして、ｉ）前記ユーザのアイデンティティに関して前記１つ以上のサーバに情報を要求し、ｉｉ）前記ユーザの好みに関して前記１つ以上のサーバに情報を要求する、請求項４４に記載の方法。
【請求項４６】
前記プロセッサは、前記コンピュータ可読に保存された命令にアクセスして、ｉｉｉ）前記ユーザのアイデンティティおよび好みに関して前記１つ以上のサーバから情報を受信し、ｉｖ）前記ユーザの好みに基づいてコンテンツを提供する、請求項４５に記載の方法。
【請求項４７】
前記プロセッサは、前記コンピュータ可読メモリに保存された命令にアクセスして、ｉ）前記ユーザの入力に基づいて、前記１つ以上のサーバから前記ユーザにコンテンツを提供し、ｉｉ）前記タグから得られた情報および前記ユーザの好みに関して前記１つ以上のサーバに保存された情報により決定される前記ユーザのアイデンティティに基づいて、前記１つ以上のサーバにコンテンツを要求する、請求項４４に記載の方法。
【請求項４８】
前記ディスプレイはタッチスクリーンである、請求項３９に記載の方法。
【請求項４９】
前記プロセッサは、前記コンピュータ可読媒体に保存された命令にアクセスして、ｉ）前記ユーザにコンテンツを配信し、ｉｉ）前記ユーザからの入力に基づいて、前記１つ以上のサーバに保存されたコンテンツを変える、請求項４０に記載の方法。
【請求項５０】
前記メディア配信システムは、ネットワーク接続を備える、請求項３９に記載の方法。
【請求項５１】
前記ネットワーク接続は、ＷｉＦｉネットワークまたはセルラーネットワークである、請求項５０に記載の方法。
【請求項５２】
前記１つ以上のサーバは、広告コンテンツサーバ、ディスプレイＯＴＡリフレッシュサーバ、およびＡＭＴコンテンツサーバからなる群から選択される、請求項４０に記載の方法。
【請求項５３】
前記１つ以上のサーバは、事業所に設置された業務専用コンテンツサーバである、請求項４０に記載の方法。
【請求項５４】
前記メディア配信システムは、前記プロセッサ、コンピュータ可読メモリ、個人識別装置、およびディスプレイを保持するハウジングを備える、請求項３９に記載の方法。
【請求項５５】
前記ハウジングは、膨らんだ部分に接続された平らな部分を備える、請求項５４に記載の方法。
【請求項５６】
前記膨らんだ部分は、前記プロセッサ、コンピュータ可読メモリ、および回路を含む、請求項５５に記載の方法。
【請求項５７】
前記平らな部分は、前記ディスプレイを備える、請求項５６に記載の方法。
【請求項５８】
前記ハウジングは、２つの成形材料片を備える、請求項５５に記載の方法。
【請求項５９】
前記ハウジングは、ハウジング内に設置されたフィンをさらに備える、請求項５５に記載の方法。
【請求項６０】
前記ハウジングは、移動体の安全バーに取り付けられるクランプを備える、請求項５５に記載の方法。
【請求項６１】
前記メディア配信識別システムは、電子マルチメディア部品を備える、請求項３９に記載の方法。
【請求項６２】
前記電子マルチメディア部品は、１つ以上のポートを備える、請求項６１に記載の方法。
【請求項６３】
前記移動体はチェアリフトである、請求項６２に記載の方法。
【請求項６４】
前記コンピュータ可読メモリは、ストリーミングデータ、Ｅメールデータ、テキストデータ、ビデオデータ、メッセージ通信データ、および音声データからなる群から選択される情報を保存するように構成される、請求項３９に記載の方法。
【請求項６５】
前記プロセッサは、前記コンピュータ可読メモリに保存された命令にアクセスして、ｉ）前記ディスプレイにビデオデータをストリーミングする、請求項３９に記載の方法。
【請求項６６】
前記ハウジングは、印刷媒体の取り付けを可能とするように構成される表面をさらに備える、請求項３９に記載の方法。
【請求項６７】
前記ディスプレイは、前記印刷媒体の取り付けを可能とするように構成される前記表面内に設置される、請求項６６に記載の方法。
【請求項６８】
前記ハウジングは、前記表面および前記ディスプレイを保護するように構成されるカバーのための取り付け具をさらに備える、請求項６６に記載の方法。
【請求項６９】
前記フィンは、前記ハウジングへの支持を提供する、請求項５９に記載の方法。
【請求項７０】
前記充電結合は、第１充電コイルを備える、請求項３９に記載の方法。
【請求項７１】
前記充電結合は、動作可能な連結を備える、請求項３９に記載の方法。
【請求項７２】
前記動作可能な連結は、前記充電結合をエネルギー蓄積装置に接続する、請求項７１に記載の方法。
【請求項７３】
前記エネルギー蓄積装置は、少なくとも１つのコンデンサである、請求項７２に記載の方法。
【請求項７４】
前記エネルギー蓄積装置は、移動体に取り付けられる、請求項７２に記載の方法。
【請求項７５】
前記充電結合は、第２充電コイルを備える、請求項３９に記載の方法。
【請求項７６】
前記第１充電コイルは、前記エネルギー蓄積装置に動作可能に連結される、請求項７２に記載の方法。
【請求項７７】
請求項１に記載のメディアコンテンツ配信の方法であって、前記方法は、
ａ．ユーザにメディアコンテンツ配信システムを提供することであって、前記メディアコンテンツ配信システムは、１つ以上のコンデンサを備えるエネルギー蓄積装置に動作可能に連結され、前記エネルギー蓄積装置は、充電結合をさらに備える、提供すること、
ｂ．前記プロセッサが、前記ユーザによる入力に応答して、ワイヤレス接続を通じて前記メディアコンテンツ配信システムに動作可能に連結された１つ以上のサーバから情報を得る命令を実行すること、
ｃ．前記プロセッサが、前記ワイヤレス接続を通じて前記１つ以上のサーバからメディアコンテンツを受信する命令を実行すること、
ｄ．前記プロセッサが、前記ディスプレイに前記メディアコンテンツを提供する命令を実行することであって、前記メディアコンテンツは、前記ユーザによる前記入力に応答して、前記メディアコンテンツの種類に関する所定のフォーマットで表示される、実行すること、
を含み、
前記メディア配信システムは、膨らんだ部分および薄い部分を有するハウジングを備え、前記メディア配信システムは、フィンが前記ハウジングの完全性を強化するように構成されるような、前記膨らんだ部分および薄い部分内のフィンを備える、方法。
【発明の詳細な説明】
【技術分野】
【０００１】
優先権
本願は、２０１７年１０月１９日出願の米国仮出願第６２／５７４，５１１号の優先権の利益を主張し、その全体が参照により本明細書に組み込まれる。
【０００２】
発明の分野
本明細書に開示の方法およびシステムは、移動体に乗る１人以上の個人に情報コンテンツを提供することに関する。
【背景技術】
【０００３】
特定の業界では、チェアリフトおよびあるアミューズメントパークの乗り物などの動力のない輸送手段が、ある場所から別の場所へ個人を運搬する。そのような輸送手段は、通常、輸送手段を方々に移動させるシステムに取り付けられるが、輸送手段自体は、単に個人を運ぶ場所を提供するシェルに過ぎない。場合によっては、輸送手段は、使用前に長時間にわたり充電されるバッテリーで電力供給することができるラジオまたは他の低エネルギーシステムを運ぶ。これらの業界において、輸送手段は、絶えず動いており、最大１０時間またはそれ以上続くことがある輸送手段の使用時間中は、バッテリーを再充電するために操業を停止することができない。
【０００４】
それにもかかわらず、現行のバッテリーでは不十分な用途は多く存在する。例えば、ＬＣＤ画面を備えるメディアシステムは、多大な電力を要する。加えて、メディアをストリーミングするシステムは、エネルギー蓄積能力の高いエネルギー源を要する。そのようなシステムは、これらのデバイスを稼働させるために必要なエネルギーを伝達することができるデバイスを要する。しかしながら、デバイスを、チェアリフトまたはアミューズメントパークの乗り物の場合など、長時間の再充電を行うことができない環境で急速充電する必要もあるであろう。
【０００５】
さらに、そのような移動体に乗る個人に的を絞った広告コンテンツを配信することは、乗り物のオーナーの収益増加を可能とするであろう。そのような的を絞った配信は、しかしながら、乗り物に乗る個人がいつ乗り物に入るかがわからないことを考えると困難である。乗り物に入る個人が正確に配置されない限り、コンテンツの配信の的を絞れないことになる。加えて、そのようなコンテンツを配信することができるデバイスを含めることは、娯楽用乗り物を不安定化し、特定の条件下で娯楽用乗り物を危険な状態にし得る。
【０００６】
そのため、急速充電が可能なシステム、ならびにチェアリフトおよびアミューズメントパークの乗り物などの移動体に乗る個人に的を絞ったコンテンツを配信するそのようなデバイスの必要性が、依然として存在する。加えて、チェアリフトなどの移動乗り物に安全に設置することができるシステムの必要性が、依然として存在する。
【発明の概要】
【０００７】
移動体の特定のユーザに的を絞ったコンテンツを提供するメディア配信デバイスが、本明細書に開示される。開示のメディア配信デバイスおよび方法は、移動体のユーザが、ディスプレイにアクセスし、そのディスプレイ上の情報にアクセスすることを可能とする。ディスプレイ上でアクセス可能な情報としては、メディアコンテンツ、地図情報、広告コンテンツ、音楽コンテンツ、および他のメディアコンテンツ（例えば、音声、動画、および画像）が挙げられる。開示のメディア配信デバイスは、使用中に、移動体の操業を停止する必要なく、移動体を充電することができるように、急速充電が可能な電力供給デバイスに接続される。開示の電力供給デバイスは、本開示以前は備わっていなかった特徴である、エネルギー需要が非常に大きなメディア配信デバイスに電力供給する能力をさらに有する。
【０００８】
開示のメディア配信デバイスの態様は、帆面積および重量に関する問題を減らすハウジング設計をさらに有する。開示のハウジング設計の実施形態は、バーに加えられる総表面積を減らし、追加の支持のための内部フィンを加えることにより、パネル設計の頑丈さを向上させる。開示のハウジング設計は、デバイスの強度を維持しつつ、重量および厚さを最小限にする。
【０００９】
本明細書に開示の態様は、ディスプレイ、プロセッサ、およびコンピュータ可読メモリを有するメディア配信デバイスを備えるメディア配信識別システムも含み、プロセッサは、コンピュータ可読メモリに接続され、メディア配信デバイスは、充電結合および少なくとも１つのエネルギー蓄積装置を備える１つ以上の電力装置に動作可能に連結され、メディア配信デバイスは、個人識別装置をさらに備え、個人識別装置は、メディア配信デバイスのユーザに関する情報を有するタグから情報を得るように構成される。
【００１０】
ある実施形態において、システムは、メディア配信デバイスに接続された１つ以上のサーバをさらに備える。他の実施形態において、個人識別装置は、タグから情報を受信するためのアンテナを備える。一部の実施形態において、個人識別装置は、タグへ情報を送信しかつタグから情報を受信するためのアンテナを備える。さらに他の実施形態において、個人識別装置は、１つ以上の無線周波数を通じて情報を送信または受信するための回路を備える。
【００１１】
特定の実施形態において、メディア配信デバイス識別システムは、コンピュータ可読メモリに保存された命令を備える。ある実施形態において、プロセッサは、コンピュータ可読メモリに保存された命令にアクセスして、ｉ）ユーザのアイデンティティに関して１つ以上のサーバに情報を要求し、ｉｉ）ユーザの好みに関して１つ以上のサーバに情報を要求する。さらなる実施形態において、プロセッサは、コンピュータ可読に保存された命令にアクセスして、ｉｉｉ）ユーザのアイデンティティおよび好みに関して１つ以上のサーバから情報を受信し、ｉｖ）ユーザの好みに基づいてコンテンツを提供する。またさらなる実施形態において、プロセッサは、コンピュータ可読メモリに保存された命令にアクセスして、ｉ）ユーザの入力に基づいて、１つ以上のサーバからユーザにコンテンツを提供し、ｉｉ）タグから得られた情報およびユーザの好みに関して１つ以上のサーバに保存された情報により決定されるユーザのアイデンティティに基づいて、１つ以上のサーバにコンテンツを要求する。
【００１２】
さらに特定の実施形態において、ディスプレイはタッチスクリーンである。またさらなる実施形態において、プロセッサは、コンピュータ可読媒体に保存された命令にアクセスして、ｉ）ユーザにコンテンツを配信し、ｉｉ）ユーザからの入力に基づいて、１つ以上のサーバに保存されたコンテンツを変える。他の実施形態において、メディア配信システムは、ネットワーク接続を備える。またさらなる実施形態において、ネットワーク接続は、ＷｉＦｉネットワークまたはセルラーネットワークである。
【００１３】
ある実施形態において、１つ以上のサーバは、広告コンテンツサーバ、ディスプレイＯＴＡリフレッシュサーバ、およびＡＭＴコンテンツサーバからなる群から選択される。特定の実施形態において、１つ以上のサーバは、事業所に設置された業務専用コンテンツサーバである。さらに特定の実施形態において、メディア配信システムは、プロセッサ、コンピュータ可読メモリ、個人識別装置、およびディスプレイを保持するハウジングを備える。
【００１４】
一部の実施形態において、ハウジングは、膨らんだ部分に接続された平らな部分を備える。さらなる実施形態において、膨らんだ部分は、プロセッサ、コンピュータ可読メモリ、および回路を含む。さらに特定の実施形態において、平らな部分は、ディスプレイを備える。
【００１５】
ある実施形態において、ハウジングは、２つの成形材料片を備える。他の実施形態において、ハウジングは、ハウジング内に設置されたフィンをさらに備える。一部の実施形態において、ハウジングは、移動体の安全バーに取り付けられるクランプを備える。他の実施形態において、メディア配信識別システムは、電子マルチメディア部品を備える。さらに他の実施形態において、電子マルチメディア部品は、１つ以上のポートを備える。さらなる実施形態において、移動体はチェアリフトである。さらに他の実施形態において、コンピュータ可読メモリは、ストリーミングデータ、Ｅメールデータ、テキストデータ、ビデオデータ、メッセージ通信データ、および音声データからなる群から選択される情報を保存するように構成される。さらに他の実施形態において、プロセッサは、コンピュータ可読メモリに保存された命令にアクセスして、ｉ）ディスプレイにビデオデータをストリーミングする。
【００１６】
追加の実施形態において、ハウジングは、印刷媒体の取り付けを可能とするように構成される表面をさらに備える。さらに追加の実施形態において、ディスプレイは、印刷媒体の取り付けを可能とするように構成される表面内に設置される。さらに追加の実施形態において、ハウジングは、表面およびディスプレイを保護するように構成されるカバーのための取り付け具をさらに備える。さらに追加の実施形態において、フィンは、ハウジングへの支持を提供する。
【００１７】
ある実施形態において、充電結合は、第１充電コイルを備える。特定の実施形態において、充電結合は、動作可能な連結を備える。さらに特定の実施形態において、動作可能な連結は、充電結合をエネルギー蓄積装置に接続する。さらに特定の実施形態において、エネルギー蓄積装置は、少なくとも１つのコンデンサである。
【００１８】
一部の実施形態において、エネルギー蓄積装置は、移動体に取り付けられる。他の実施形態において、充電結合は、第２充電コイルを備える。ある実施形態において、第１充電コイルは、エネルギー蓄積装置に動作可能に連結される。
【００１９】
本明細書に開示の態様は、ユーザにメディアを配信する方法を含む。方法は、ディスプレイ、プロセッサ、コンピュータ可読メモリ、および個人識別装置を備えるメディア配信デバイスを提供することであって、プロセッサは、コンピュータ可読メモリに接続される、提供することと、充電結合および少なくとも１つのエネルギー蓄積装置を備える少なくとも１つの電力装置を提供することであって、少なくとも１つの電力装置は、メディア配信デバイスに動作可能に連結される、提供することとを含む。ある実施形態において、方法は、個人識別装置からユーザに関する情報を得ることと、プロセッサが、個人識別装置からの情報に応答するコンピュータ可読メモリからの第１命令にアクセスすることとを含む。さらなる実施形態において、方法は、プロセッサが、ユーザにメディアコンテンツを提供することに関するコンピュータ可読メモリからの第２命令にアクセスすることと、プロセッサが、１つ以上のサーバからユーザに関する情報を得る第３命令にアクセスすることと、プロセッサが、ディスプレイにメディアコンテンツを提供する第４命令にアクセスすることとを含む。
【００２０】
特定の実施形態において、方法は、プロセッサが、メディア配信デバイスに接続された１つ以上のサーバと通信する命令を実行することをさらに含む。
【００２１】
他の実施形態において、個人識別装置は、タグから情報を受信するためのアンテナを備える。一部の実施形態において、個人識別装置は、タグへ情報を送信しかつタグから情報を受信するためのアンテナを備える。さらに他の実施形態において、個人識別装置は、１つ以上の無線周波数を通じて情報を送信または受信するための回路を備える。
【００２２】
特定の実施形態において、メディア配信デバイス識別システムは、コンピュータ可読メモリに保存された命令を備える。ある実施形態において、プロセッサは、コンピュータ可読メモリに保存された命令にアクセスして、ｉ）ユーザのアイデンティティに関して１つ以上のサーバに情報を要求し、ｉｉ）ユーザの好みに関して１つ以上のサーバに情報を要求する。さらなる実施形態において、プロセッサは、コンピュータ可読に保存された命令にアクセスして、ｉｉｉ）ユーザのアイデンティティおよび好みに関して１つ以上のサーバから情報を受信し、ｉｖ）ユーザの好みに基づいてコンテンツを提供する。またさらなる実施形態において、プロセッサは、コンピュータ可読メモリに保存された命令にアクセスして、ｉ）ユーザの入力に基づいて、１つ以上のサーバからユーザにコンテンツを提供し、ｉｉ）タグから得られた情報およびユーザの好みに関して１つ以上のサーバに保存された情報により決定されるユーザのアイデンティティに基づいて、１つ以上のサーバにコンテンツを要求する。
【００２３】
さらに特定の実施形態において、ディスプレイはタッチスクリーンである。またさらなる実施形態において、プロセッサは、コンピュータ可読媒体に保存された命令にアクセスして、ｉ）ユーザにコンテンツを配信し、ｉｉ）ユーザからの入力に基づいて、１つ以上のサーバに保存されたコンテンツを変える。他の実施形態において、メディア配信システムは、ネットワーク接続を備える。またさらなる実施形態において、ネットワーク接続は、ＷｉＦｉネットワークまたはセルラーネットワークである。
【００２４】
ある実施形態において、１つ以上のサーバは、広告コンテンツサーバ、ディスプレイＯＴＡリフレッシュサーバ、およびＡＭＴコンテンツサーバからなる群から選択される。特定の実施形態において、１つ以上のサーバは、事業所に設置された業務専用コンテンツサーバである。さらに特定の実施形態において、メディア配信システムは、プロセッサ、コンピュータ可読メモリ、個人識別装置、およびディスプレイを保持するハウジングを備える。
【００２５】
一部の実施形態において、ハウジングは、膨らんだ部分に接続された平らな部分を備える。さらなる実施形態において、膨らんだ部分は、プロセッサ、コンピュータ可読メモリ、および回路を含む。さらに特定の実施形態において、平らな部分は、ディスプレイを備える。
【００２６】
ある実施形態において、ハウジングは、２つの成形材料片を備える。他の実施形態において、ハウジングは、ハウジング内に設置されたフィンをさらに備える。一部の実施形態において、ハウジングは、移動体の安全バーに取り付けられるクランプを備える。他の実施形態において、メディア配信識別システムは、電子マルチメディア部品を備える。さらに他の実施形態において、電子マルチメディア部品は、１つ以上のポートを備える。さらなる実施形態において、移動体はチェアリフトである。さらに他の実施形態において、コンピュータ可読メモリは、ストリーミングデータ、Ｅメールデータ、テキストデータ、ビデオデータ、メッセージ通信データ、および音声データからなる群から選択される情報を保存するように構成される。さらに他の実施形態において、プロセッサは、コンピュータ可読メモリに保存された命令にアクセスして、ｉ）ディスプレイにビデオデータをストリーミングする。
【００２７】
追加の実施形態において、ハウジングは、印刷媒体の取り付けを可能とするように構成される表面をさらに備える。さらに追加の実施形態において、ディスプレイは、印刷媒体の取り付けを可能とするように構成される表面内に設置される。さらに追加の実施形態において、ハウジングは、表面およびディスプレイを保護するように構成されるカバーのための取り付け具をさらに備える。さらに追加の実施形態において、フィンは、ハウジングへの支持を提供する。
【００２８】
ある実施形態において、充電結合は、第１充電コイルを備える。特定の実施形態において、充電結合は、動作可能な連結を備える。さらに特定の実施形態において、動作可能な連結は、充電結合をエネルギー蓄積装置に接続する。さらに特定の実施形態において、エネルギー蓄積装置は、少なくとも１つのコンデンサである。
【００２９】
一部の実施形態において、エネルギー蓄積装置は、移動体に取り付けられる。他の実施形態において、充電結合は、第２充電コイルを備える。ある実施形態において、第１充電コイルは、エネルギー蓄積装置に動作可能に連結される。
【００３０】
本明細書に開示のさらなる態様は、メディアコンテンツ配信の方法を含み、方法は、ユーザにメディアコンテンツ配信システムを提供することを含み、メディアコンテンツ配信システムは、１つ以上のコンデンサを備えるエネルギー蓄積装置に動作可能に連結続され、エネルギー蓄積装置は、充電結合をさらに備える。方法は、プロセッサが、ユーザによる入力に応答して、ワイヤレス接続を通じてメディアコンテンツ配信システムに動作可能に連結された１つ以上のサーバから情報を得る命令を実行することをさらに含む。一部の実施形態において、プロセッサが、ワイヤレス接続を通じて１つ以上のサーバからメディアコンテンツを受信する命令を実行すること。他の実施形態において、プロセッサが、ディスプレイにメディアコンテンツを提供する命令を実行することであって、メディアコンテンツは、ユーザによる入力に応答して、メディアコンテンツの種類に関する所定のフォーマットで表示される、実行すること。多くの実施形態の方法は、膨らんだ部分および薄い部分を有するハウジング、ならびにフィンがハウジングの完全性を強化するように構成されるような、膨らんだ部分および薄い部分内のフィンを備えるメディア配信システムを含む。
【００３１】
開示のプロセスおよびシステムの前述および他の目的、その様々な特徴は、以下の記載を添付の図面と併せて読めば、より十分に理解されよう。
【図面の簡単な説明】
【００３２】
【図１Ａ】チェアリフトに取り付けられた例示的デバイスの実施形態の概略図である。
【図１Ｂ】移動体の安全バー、および安全バーに取り付けられたマルチメディア部品の拡大図である。
【図１Ｃ】充電部品の極めて近傍の、耐候性コンテナ内のデバイスの拡大図である。
【図２】ディスプレイに接続される電子デバイスに接続されるデバイスの包括的フローチャート図である。
【図３】コンデンサの直列配置を示すフローチャートである。
【図４】コンデンサの並列配置を示すフローチャートである。
【図５】充電ゾーンとして作用するベースステーション間のワイヤレスネットワークとなる移動体群を示す。
【図６】例示的実施形態における、１つ以上のサーバに接続されるメディア配信デバイスを示す。
【図７Ａ】メディア配信デバイスハウジングの上面図を示す。
【図７Ｂ】メディア配信デバイスハウジングの側面断面図を示す。
【図７Ｃ】ハウジングの底面図を示す。
【図７Ｄ】ハウジングの裏側の長さを示す、ハウジングの第２底面図を示す。
【図７Ｅ】内部回路を示す、メディア配信デバイスの断面図である。
【発明を実施するための形態】
【００３３】
本明細書に言及される特許および科学文献は、当業者が利用可能な知識を立証する。本明細書に引用される、発行された米国特許、許可された出願、公開された外国出願、および参考文献は、各々が参照により組み込まれると具体的および個別に示された場合と同程度に、参照により本明細書に組み込まれる。
【００３４】
１．メディア配信デバイスおよびシステム
開示のメディア配信デバイスは、一部の態様において、そこに保存された命令を有する１つ以上のコンピュータ可読媒体（例えば、ＲＡＭ）に動作可能に接続されたプロセッサを備える。一部の実施形態において、メディア配信デバイスは、サーバに保存されたメディアコンテンツを有する１つ以上のリモートサーバへのワイヤレス接続を備える。メディア配信デバイスは、タグから情報を読み取る能力を有する個人識別装置（以下、ＩＩＵ）をさらに備える。特定の実施形態において、タグは、無線周波数信号を変調する情報を保存および処理する回路、タグがＩＩＵからＤＣ電力を収集することを可能とする収集部、ならびに信号を送受信するアンテナを備える。一部の実施形態において、ＩＩＵはＲＦＩＤである。他の実施形態において、ＩＩＵは、バーコードまたは他のコードを走査するスキャナである。ある実施形態において、コードは、電話機またはタブレットなどの電子デバイスに設置され得る。一部の実施形態において、ＲＦＩＤは、パッシブであり、タグから情報を受信する。他の実施形態において、ＲＦＩＤはアクティブであり、一方、タグはパッシブである。さらに他の実施形態において、ＲＦＩＤおよびタグの両方がアクティブである。開示のデバイスの態様は、バーコードリーダであるＩＩＵも含む。
【００３５】
本メディア配信デバイスの態様は、１つ以上のリモートサーバに保存された情報にアクセスすることに関する、コンピュータ可読媒体中の命令を含む。このタスクを達成する方法は、ＩＩＵから情報を受信すると、プロセッサが命令にアクセスすることを含む。情報は、移動デバイスに配置された個人に関する関連情報であり得る。例えば、情報は、個人のホテルでの部屋番号、個人の購入品、個人の映画もしくはテレビの好み、個人のインターネット上の検索履歴、調査に対する個人の好み、またはそのタグがＩＩＵにより識別される個人に提供される他の情報に関し得る。
【００３６】
プロセッサは、メディア配信デバイスの近傍の特定の個人ユーザに関する情報にアクセスすると、１つ以上のサーバに、メディア配信デバイスに保存するためにメディア配信デバイスに提供される関連コンテンツを要求する。プロセッサは、コンテンツを受信すると自動的にディスプレイ（例えば、ＬＣＤ、ＬＥＤ、ＬＣＤ−ＬＥＤ）にメディアコンテンツを提供する命令を実行し得る。あるいは、プロセッサは、個人がメディアコンテンツを見ることを望むかどうかを尋ねる要求を画面に配信する命令を実行し得る。一部の実施形態において、ディスプレイは、個人ユーザがデバイスの機能性を調節することを可能とするタッチスクリーンディスプレイである。例えば、個人ユーザは、休暇中の場合、ホテルの部屋で見られる映画に関する情報を、タッチスクリーン上で「映画」を押すことにより要求することができる。その後、プロセッサは、後ほど部屋で見ることを計画できるように、個人ユーザにこのコンテンツを配信する命令を実行する。加えて、個人ユーザは、ホテルに滞在している場合、画面上の「サービス」ボタンにタッチすることによりサービスを要求することができる。プロセッサは、適切なスタッフに要求を提供することになるリモートサーバへのワイヤレス接続を介して注文を配信する命令を実行するであろう。
【００３７】
メディア配信デバイスの態様は、図６に示す、より広いメディア配信システムに含まれる。図６は、ワイヤレス接続６１０およびディスプレイ６２０を有するメディア配信デバイス６００（スキーリフトサブシステムとも呼ばれる）を示す。図６のワイヤレス接続は、セルラーネットワークを通じたものである。しかしながら、任意のワイヤレス接続が許容され、開示のシステムで機能する。ワイヤレス接続６１０は、ネットワーク接続６３０を通したネットワークとの通信を可能とする。ネットワーク接続の例としては、セルラーネットワーク、ワイヤレスネットワーク、ラジオネットワーク、ＷＡＮ、およびＬＡＮが挙げられる。
【００３８】
メディア配信デバイス６００は、図６の実施形態のリゾートコンテンツサーバ６４０に接続する。（ＡＭＴサブシステムに設置された）リゾートコンテンツサーバ６４０は、リゾートサービス、リゾート情報、およびリゾートアクティビティなどのリゾート専用コンテンツを含む。メディア配信デバイスは、広告コンテンツサーバ６５０、ディスプレイＯＴＡリフレッシュサーバ６６０、およびＡＭＴコンテンツサーバ６７０にも接続され得る。１つ以上のサーバは、所望のコンテンツまたは特定のオペレータの要求に適合するであろうアーキテクチャに応じて変えられ得ることに留意されたい。例えば、アミューズメントパークに関するコンテンツを含むか、または個人ユーザに緊急警報などの必要な情報を提供するサーバがあり得る。
【００３９】
ある実施形態において、図６のシステムは、以下の例示的プロセスに従って動作する。ユーザは、タグ６８０を提供される。タグ６８０は、ＩＩＵ  ６８５により読み取られる。この実施形態において、ＩＩＵ  ６８５はＲＦＩＤである。タグ６８０は、プロセッサ６９０が、コンピュータ可読メモリ６９５または１つ以上のサーバ６４０に保存された情報にアクセスすることを可能とする情報を含む。情報は、氏名、住所、性別、好み、最近のインターネット活動、およびユーザに関する他の情報を含み得る。情報がプロセッサ６９０によりアクセスされると、プロセッサ６９０は、ユーザがとる行動に応じた命令、またはコンピュータ可読メモリ６９５に保存された他の命令に応答するよう準備される。
【００４０】
一実施形態において、ディスプレイ６２０は、タッチスクリーンデバイスである。ユーザは、ディスプレイ６２０を「起動」するように促される。プロセッサ６９０は、ディスプレイ６２０を作動させてユーザに１つ以上のオプションを提示する命令を実行する。例えば、ディスプレイ６２０は、ユーザに、テレビ中継のストリーミング、リゾート専用アクティビティへのアクセス、音楽の再生、ニュースの受信、連絡先へのメール作成、およびＥメールの閲覧／送信のオプションを提供する。この実施形態において、ユーザは、Ｅメールの閲覧／送信のための仮想ボタンにタッチする。プロセッサ６９０は、ユーザおよびユーザのＥメールに関する情報にアクセスするためにサーバ６４０と通信する。サーバ６４０は、情報を提供し、プロセッサ６９０は、ディスプレイ６２０上にコンテンツを表示する命令を実行する。
【００４１】
他の実施形態において、プロセッサ６９０は、ユーザからの入力が受信されない場合、ディスプレイ６２０を作動させる命令を実行する。これは、プロセッサ６９０が、ディスプレイ６２０に広告メディアを提供する命令を実行する初期設定であり得る。一部の実施形態において、プロセッサ６９０は、ユーザが最初にシステムを操作するとき、またはユーザが要求したコンテンツをユーザが受信する前などの、所定の時間の前に、ディスプレイ６２０に広告コンテンツを提供する命令を実行する。特定の実施形態において、プロセッサ６９０は、サーバ６４０に保存されたユーザの好みに基づいて、ユーザに広告の的を絞る命令を実行する。
【００４２】
２．メディア配信デバイスハウジング
メディア配信システムのさらなる態様は、メディア配信システムの帆面積を減少させる、メディア配信デバイスハウジングのための設計を含む。この設計の一実施形態を、図７Ａ〜７Ｄに示す。図７Ａは、ハウジングのパネル７００の設計を上面図で示す。この実施形態において、４つのディスプレイパネル７００ａ〜ｄが提供される。このように、複数のディスプレイが、メディア配信ハウジングに置かれ得る。メディア配信デバイスは、１つから複数のパネル（例えば、１０以上のパネル）を含み得る。メディア配信デバイスハウジングは、薄型であり、安全または快適バーの極めて近傍に適合するように設計され得る。図７Ａに示すように、デバイス７００の裏側に配置されたクランプ７１０が、メディア配信デバイスの薄い部分に安全バーを配置することになる。この実施形態の「ｂ」字型は、デバイスが固定されるバーに加える全面積を減少させつつ、プロセッサ、ＷｉＦｉ接続性、ＩＩＵ、および回路などの電気部品が設計に含まれることを可能とする。
【００４３】
図７Ｂは、ハウジング８００の側面断面図を示す。回路８１０は、デバイスの「ｂ」字型または満ちた／膨らんだ部分８２０の中に見える。加えて、設計内の垂直フィン８３０は、過酷な気象条件または使用のひずみに直面したとき、ハウジング８００の強度を向上させる。図７Ｃおよび７Ｄは、デバイスの裏側を示す。図７Ｃおよび７Ｄの各々において、ハウジングは、膨らんだ部分８２０および薄い部分８４０を備える。設計内のフィン８３０も見える。設計は、デバイスがバーから離れて持ち上がるのを減少させるように、バーがデバイスの薄い部分８４０に適合することを可能とする。加えて、デバイスの裏側は、クランプまたは他の固定デバイスの範囲に対応するための、デバイスの全長にわたる２つのダブテールを有し得る。
【００４４】
図７Ｅは、ハウジング９００内のメディア配信デバイスの回路９１０の内部設計および配置を示す。ハウジング９００は、ハウジング９００に追加の支持を提供するフィン９２０を備える。ハウジングは、ハウジング９００を安全／快適バーに取り付けるためにクランプ（図示せず）が配置され得る薄い部分９３０を備える。ハウジングは、プロセッサ９５０、ＷｉＦｉ接続性９６０、ＩＩＵ  ９７０、コンピュータ可読媒体９８０、および他の回路が配置される膨らんだ部分９４０も含む。加えて、膨らんだ部分９４０は、１つ以上のディスプレイ９９０への動作可能な接続を備える。
【００４５】
メディア配信デバイスハウジングは、アルミニウム、アルミニウム合金などの金属、ならびにポリエチレン、ポリプロピレン、およびポリアミドなどのプラスチック、高密度ポリエチレン（ＨＤＰＥ）などの半可撓性材料、ならびにポリスチレンおよびポリ塩化ビニルなどの比較的非可撓性の材料などの材料で作製され得る。一部の実施形態において、ハウジングは、ガラス繊維を含む。特定の実施形態において、ハウジングは、３Ｄプリント、押し出し成形、または引き抜き成形などの技術を使用して作製される。
【００４６】
本メディア配信デバイスの態様は、１つ以上のリモートサーバに保存された情報にアクセスすることに関する、コンピュータ可読媒体中の命令を含む。このタスクを達成する方法は、ＩＩＵから情報を受信すると、プロセッサが命令にアクセスすることを含む。情報は、移動デバイスに配置された個人に関する関連情報であり得る。例えば、情報は、個人のホテルでの部屋番号、個人の購入品、個人の映画もしくはテレビの好み、個人のインターネット上の検索履歴、調査に対する個人の好み、またはそのタグがＩＩＵにより識別される個人に提供される他の情報に関し得る。
【００４７】
メディアコンテンツ配信システムは、１つ以上のサーバからコンテンツを受信するソフトウェアをさらに備え得ることに留意されたい。サーバは、一つのコンピュータまたは複数のコンピュータであり得る。さらに、システムは、ディスプレイおよびメディアコンテンツ配信デバイスの他の機能を動作させるための命令を備え得る。命令は、実行可能なコードまたは実行可能なコードのモジュールであり得る。例えば、システムのプロセッサは、コンピュータ可読メモリに保存された命令コードを実行し得る。コンピュータ可読メモリは、読み出し専用メモリ（ＲＯＭ）および／またはランダムアクセスメモリ（ＲＡＭ）を含む、１つ以上のコンピュータ可読媒体として具現化され得る。このように、コンピュータ可読メモリは、１つ以上のメモリチップ、光メモリデバイス（例えば、ＣＤ−ＲＯＭ）、磁気メモリデバイス（例えば、ディスクドライブ）、または他の種類のメモリを備え得る。コンピュータ可読メモリは、ディスプレイを動作させ、ユーザからの入力に応答し、ディスプレイにコンテンツを配信し、ディスプレイ上でコンテンツを再生するのに必要なソフトウェアなどの、いくつかのソフトウェアモジュールおよびメディアコンテンツ配信デバイスに特に関連のある他の情報を保存し得る。ディスプレイ上で再生され得るコンテンツの例としては、ｍｐｅｇ、ｊｐｅｇ、ｐｎｇ、ストリーミング技術、ｍｐ３、および他のコンテンツフォーマットが挙げられる。
【００４８】
３．１つ以上のシステムにエネルギーを伝達するための電力供給デバイス
開示の電力供給デバイスは、移動体に設置されたメディア配信デバイスにエネルギーを伝達する。本明細書で使用される場合、用語「移動体」は、開放型または閉鎖型コンパートメントで、人または物を運搬するのに使用される手段を指す。移動体の非限定例として、ゴンドラ、トラム、モノレールカー、アミューズメントパークの乗り物で使用される車両、チェアリフト、チェア、または、常時人々をある部位から別の部位に移動させるのに使用される任意の他の手段がある。
【００４９】
図２は、開示の電力供給デバイスの一部の実施形態の包括的な図を示す。図２において、デバイス２００は、誘導性結合としても知られる、充電結合２１０を備える。一部の実施形態において、結合２１０は、非接触式である。非接触式充電の利点は、性能を落とすことなく、高サイクル数を可能とすることである。他の実施形態において、デバイス２００は、接点となるワイパーを備える。ある実施形態において、結合の各部材は、本明細書に「充電コイル」として記載されるコイル２０１および２０２である。第１充電コイル（例えば、充電コイル）２０１は、エネルギー蓄積源２２０に接続される。ある実施形態において、エネルギー蓄積部２２０は、１つ以上のコンデンサである。他の実施形態において、エネルギー蓄積部２２０は、１つ以上のバッテリー（例えば、リチウムバッテリー）にさらに接続された１つ以上のコンデンサである。例えば、スーパーキャパシタが使用され得る。スーパーキャパシタは、トランスミッタおよびレシーバが射程範囲内にあるとき、短時間の間で急速充電を可能とする。他の実施形態において、バッテリーが使用され得る。本明細書で使用される場合、用語「一」または「一つ」は、１つ以上を意味し、特に指示がない限り、修飾されている名詞の複数を含む。
【００５０】
接触式送電に関し、デバイス２００は、第１要素および第２要素を備える。第１要素２０１は、ワイパーまたはブラシであり得る。本明細書で提供される場合、ワイパーは、第２要素２０２から第１要素２０１に送電するのに充分に第１要素が接触することを可能とする任意のデザインであり得る。例えば、第１要素２０１は、移動体が移動するレール（すなわち、第２要素２０２）と接触するように設計され得る。あるいは、第１要素２０１は、第１要素と接触するように明確に成形されたベースステーション中の構造に適合するように設計され得る。第１要素２０１の構造は、バー、ローラー、平面（例えば、プレート）、ブロック、または任意の構造であり得る。
【００５１】
さらなる接触式の実施形態において、第１要素および第２要素２０１および２０２は、第２要素から第１要素への送電を可能とする任意の導電材料であり得る。さらに、第１要素２０１および第２要素２０２は、特定の距離にわたって接触することができ、第１要素への送電を可能とする。
【００５２】
電力供給デバイスのエネルギー蓄積装置２２０は、メディア配信デバイスに設置された１つ以上の電子部品２３０に接続される。特定の実施形態において、１つ以上の電子部品２３０は、ディスプレイ２４０にさらに接続される。電子部品２３０は、プロセッサおよびメモリを備え得る。特定の実施形態において、電子部品２３０は、電圧調整器である。さらに特定の実施形態において、１つ以上の電子部品２３０は、以下により十分に記載される、１つ以上の追加のディスプレイおよび他の電子機器を備える。ディスプレイ２４０は、ＬＥＤ、ＬＣＤ、または他の電子ディスプレイデバイスであり得る。さらに、ディスプレイ２４０は、ストリーミングされたメディア、ｍｐｇファイル、Ａｄｏｂｅ（登録商標）Ｆｌａｓｈ  Ｐｌａｙｅｒファイル、および任意の既知のビデオ技術ファイルなどのビデオコンテンツを受信および表示することが可能である。
【００５３】
図２は、エネルギー蓄積部２２０に接続されない第２充電コイル２０２をさらに示す。第２充電コイル２０２は、第１充電コイル２０１の近傍に来たとき、第１充電コイル２０１にエネルギーを提供することができる。本明細書で使用される場合、用語「ある近傍」または「その近傍」は、充電コイル間の誘導性結合を可能とする充電コイル間の距離を指す。
【００５４】
本明細書に開示の態様は、急速充電電力供給デバイスを提供する。ある実施形態において、開示の電力供給デバイスは、標準的なリチウムバッテリーと比較して、比較的短い時間で、大量のエネルギーを蓄積することができる１つ以上のコンデンサを備える。大量のエネルギーを蓄積することができるコンデンサの例としては、スーパーキャパシタがある。コンデンサは、バッテリーよりもかなり速い速度で、５００，０００〜１，０００，０００サイクル充電することができる。コンデンサは、従来のバッテリーよりもエネルギー密度が低いが、所与の用途のための放電率の要件を満たすようにキャパシタンス量を選択することができる。さらに、コンデンサは、従来のバッテリーを充電するのに十分な時間がない可能性がある環境でかなり速い充電を可能とする、バッテリーを超える明白な利点を有する。
【００５５】
本明細書に開示の電力供給デバイスは、１つ以上のコンデンサに接続される第１要素（例えば、ワイパーまたは充電コイル）をさらに備える。特定の実施形態において、第１充電コイルは、第２充電コイル由来の電磁場を電流に変換するように設計される。第１充電コイルが第２充電コイルの近傍に来ると、第１充電コイルは、第２充電コイルの電磁場に入る。第１充電コイルは、電磁場を、蓄積するためにコンデンサに提供される電流に変換する。
【００５６】
ある実施形態において、第２要素は、ベースステーションに設置される。本明細書で使用される場合、用語「ベースステーション」は、１つ以上の第２充電コイルが設置される部位を指す。ベースステーションは、移動体が第１要素を１つ以上の第２要素の極めて近傍に移動させ、コンデンサの充電を可能とするであろう任意の位置に設置され得る。ある実施形態において、ベースステーションは、スキーリフトの端部などの固定位置にある。ベースステーションはまた、ポール、タワー、レール、または第２充電コイルが開示のデバイスの第１充電コイルの近傍に来ることを可能とする任意の位置に設置され得る。
【００５７】
加えて、ベースステーションは、移動体へのアクセスのために複数の位置に設置され得る。例えば、スキーリフトの底部に設置されるベースステーションがあり得、その結果、各チェアリフト（すなわち、移動体）は、１つ以上の第２要素の極めて近傍に来る。山を上るスキーリフトの経路に沿って設置されるものと、山の頂上に設置されるものとの複数の追加のベースステーションもあり得る。したがって、チェアリフトがとる経路に沿った、無数とも言える数のベースステーションがあり得る。
【００５８】
したがって、各ベースステーションは、「充電ゾーン」を規定することに留意されたい。充電ゾーンは、第１要素と第２要素とが近傍にあり、その結果、コンデンサが電流を受け取る領域である。したがって、充電ゾーンで移動体が過ごす距離または時間により「充電ゾーン」を規定することができる。移動体がベースステーションにおいて第２要素の極めて近傍を離れるとき、移動体は、「放電ゾーン」に入る。放電ゾーンは、１つ以上のコンデンサが、移動体に設置された１つ以上の電子部品に、１つ以上のコンデンサが蓄積したエネルギーを放出する領域である。充電ゾーンと同様に、放電ゾーンで移動体が過ごす距離または時間により「放電ゾーン」を規定することができる。
【００５９】
一部の実施形態において、本明細書に開示のシステムは、「スタンバイゾーン」を備える。「スタンバイゾーン」は、移動体が、エネルギーを節約するパワーダウンモードにある機能である。一部の実施形態において、スタンバイモードは、移動体が何も載せておらず、１つ以上の電子部品がオフまたはパワーセーブモードにあるとき生じる。他の実施形態において、「スタンバイゾーン」は「充電ゾーン」と重なり、デバイスのコンデンサは充電される。
【００６０】
ある非接触式の実施形態において、第１充電コイルおよび第２充電コイルは、同一の周波数で共振するように調整される。一部の実施形態において、デバイスは、共振変圧器をさらに備える。他の実施形態において、第２充電コイルは、振動電流を発生させるように構成される。さらなる実施形態において、第１充電コイルおよび第２充電コイルは、共振して充電ゾーンの範囲を広げる。
【００６１】
本開示から当業者にとって明らかであろうように、充電ゾーンで過ごす時間を、特定の乗り物の特定の要件に合わせることができる。例えば、充電ゾーンは、十分に大きく作られてもよく、その結果、放電ゾーンよりもおよそ２０倍小さく、充電ゾーンでの時間に対する放電ゾーンでの時間の割合が２０対１となることを成立させる。これは、ある一定の数の第２充電コイルをベースステーションに置いて充電ゾーンの範囲を調整することにより、達成され得る。割合は、１対１、５対１、１０対１、２０対１、３０対１、４０対１、５０対１、６０対１、７０対１、８０対１、９０対１と低くされ得、または１００対１、１５０対１、２００対１、２５０対１、３００対１、３５０対１、４００対１、４５０対１、５００対１、もしくはそれ以上と高くされ得る。充電ゾーンおよび放電ゾーンの割合は、移動体が各ゾーンで過ごす時間により、および移動体の操作者が設定した移動体の速度により、規定され得る。例えば、移動体は、充電ゾーンで３０秒過ごし、長い時間（１５分以上など）放電ゾーンにいるのに充分な電力を本開示のデバイスに蓄積することができる。別の例として、移動体は、ベースステーションに入り、１分間ベースステーション充電ゾーン中を進み、３０分間放電ゾーンに留まるであろう。唯一の制約は、利用可能な充電電流および充電ゾーンでの時間に加え、デバイスに備わるコンデンサの数と比較した、移動体にある電子部品の数である。
【００６２】
さらに、放電ゾーンに対する充電ゾーンでの時間の割合は、個々の用途に依存する。放電ゾーンでの消費電力が大きいと、より長い充電時間および／またはより多くの充電電流を要することを、当業者なら認識するであろう。コンデンサの消費電流は、総キャパシタンスおよび時間に対するコンデンサ電圧の変化率の関数である。したがって、充電中のコンデンサの電圧の変化率が大きいことは、多くの電流を必要とすることに等しい。
【００６３】
放電ゾーンに対する充電ゾーンの割合は、長時間にわたり蓄積したエネルギーを放出しつつ、短時間で多くの電流を吸収する１つ以上のコンデンサの能力に依存する。ほんの一例であるが、第２充電コイルは、第２充電コイルと第１充電コイルとが結合されるとき、約５０ａｍｐ、約１００ａｍｐ、約２００ａｍｐ、またはそれ以上をコンデンサに送ることを可能とする電源に接続され得る。これは、約５ボルトの低電圧またははるかにより高い電圧で達成され得る。一部の実施形態において、デバイスは、各コンデンサの最大電圧が２．８５ボルトである１つ以上のコンデンサを備える。各コンデンサは、他の電圧を利用することもできる。例えば、スーパーキャパシタは、許容し得る所定の最大電圧を有する。
【００６４】
例えば、５ボルトで１００ａｍｐがコンデンサに提供されたとき、これは、短時間にコンデンサに蓄積される電力が５００ワットであることに等しい。しかしながら、コンデンサに蓄積される電力量は、放電ゾーンにある間ずっと１つ以上の電子部品に電力を提供するために必要な任意の量であり得ることを、当業者なら認識するであろう。例えば、デバイスは、約１０ワットから約１０００ワット以上の電力を蓄積することができる。デバイスに蓄積されるエネルギーの量は、コンデンサの数、および第２充電コイルに接続される電源に左右される。本明細書で使用される場合、用語「約」は、無名数から±１５％を意味する。例えば、「約２０」は、１７〜２３を含むであろう。
【００６５】
コンデンサは、多くの電流を引き込むことができることに留意されたい。空のコンデンサは、短絡に似ており、非常に多くの電流を引き込むであろう。この電流は、インライン抵抗または電流制限電源により制限される。コンデンサが充電を開始すると、電流は、コンデンサが充電電圧に達するまで、次第に減少する。本明細書に開示されているデバイスは、コンデンサ（直列に追加）および充電コイルの電流コンデンサの定格電圧によってのみ制限される。電流制限は、誘導性界面によるものであり得る。
【００６６】
加えて、電力を蓄積するのに要する時間は、約３０秒未満、約３０秒、約１分未満、約２分未満、または移動体の速度が許す時間であり得る。要求される電力を蓄積するのに必要な時間は、誘導性充電装置の電流制限に加え、移動体にある電子部品が必要とする電力、および移動体が放電ゾーンにあるであろう時間の長さに左右される。このように、開示のデバイスは、要求されるエネルギーを蓄積する可変数のコンデンサを有し得、第２充電コイルは、デバイスにあるコンデンサに充分な電気を提供することを可能とするのに十分な電源に接続され得る。
【００６７】
デバイスが放電ゾーンに入るとき、開示の電力供給デバイスのコンデンサは、少ない電流でエネルギーを放出する。例えば、約５００ワットを受け取った、開示の電力供給デバイスのコンデンサは、このエネルギーを、約５ボルトの電圧で、約１０ａｍｐ未満、約５ａｍｐ未満、または約１ａｍｐの電流で、１つ以上の電子部品に放出することができる。これは、移動体にある電子部品に放出されるのが、約５ワットの電力であることに等しい。そのような実施形態において、デバイスは、急速に大量のエネルギーを蓄積する一方、より低速でエネルギーを放出する。ある実施形態において、デバイスは、一定の電圧の維持を助ける電圧調整器を備える。一部の実施形態において、１つ以上のコンデンサは、１つ以上のバッテリー（例えば、リチウムバッテリー）に接続される。
【００６８】
図５は、各移動体５１０がベースステーション５２０間を進んでいる配置を示す。充電ゾーン５３０内にて、図１〜３に示すデバイスは、図２に示すように、充電結合により充電ゾーン５３０内で充電される移動体５１０に設置され、第２要素５６０は、各ベースステーション５２０に設置される。要素５５０は、充電ゾーン５３０内にあるとき、第２要素５６０による充電を可能とする。移動体５１０は、ベースステーション間の放電ゾーン５４０に入る。移動体５１０は、移動体５１０に設置された電子部品がアドホックワイヤレスネットワークを形成するワイヤレスネットワークにアクセスすることができる、モバイルアドホックネットワークとなり得る。一部の実施形態において、電子部品は、１つ以上の移動体５１０ａにあるワイヤレスアクセスポイントを備え、各移動体５１０がワイヤレスネットワークにアクセスすることを可能とする。
【００６９】
特定の実施形態において、デバイスは、充電されるとき、直列に配置される複数のコンデンサを備える。図３に示すように、コンデンサ３１０は、耐候性コンテナ３００内に設置される。コンデンサ３１０は、直列に配置され、接続３４０を介して、マルチメディア部品３５０にエネルギーを提供する。コンデンサ３１０は、充電部品３２５への誘導性結合によりエネルギーを与えられる充電部品３２０への接続を介してエネルギーを得る。さらに特定の実施形態において、複数のコンデンサ４１０は、１つ以上の電子部品４５０および電圧調整器４３０に対して、直列接続ではなく、並列に配置される（図４）。部品４４０、４２０、および４２５は、それぞれ図３の部品３４０、３２０、および３２５と同一である。図３に戻ると、コンデンサ３１０は、電圧調整器３３０に直列に接続される。電圧調整器３３０は、コンデンサ３１０の放電中、マルチメディア部品３５０に一定の電圧を提供する。
【００７０】
本明細書に開示の電力供給デバイスの態様は、各々が、６Ｈ４０、ＭｎＺｎフェライトコア材料、ニッケル、銅フェライトコア材料、ＥＴＤ−４９コア（ＥＰＣＯＳ  ＡＧ）、および以下の表１に列挙される材料からなる群から選択される材料を含み得る、第１充電コイルおよび第２充電コイルを備える。
【表１】
2021501428.tif 000003
【００７１】
特定の実施形態において、第１充電コイル２０１および第２充電コイル２０２は、共に、同一の材料を含む。他の実施形態において、第１充電コイル２０１は、第２充電コイル２０２と異なる材料を含む。図１Ａは、チェアリフト１１０に取り付けられたデバイス１００の例示的実施形態も示す。各チェアリフト１１０は、ベースステーション１２０に移動する。各チェアリフト１１０は、エネルギー源（例えば、バッテリー、コンデンサ）に接続された第１充電コイルを備えるデバイス１００を備える。ある実施形態において、デバイス１００は、充電コイルおよびコンデンサを保護する耐候性コンテナを備える。図１Ａに示すように、デバイス１００は、チェアリフト１１０をスキーリフトライン１４０に取り付けるアーム１３０に設置される。チェアリフト１１０が第２充電コイル１５０の近傍に移動すると、第１充電コイルは、第２充電コイル１５０の電磁場を、コンデンサに蓄積される電流に変換する。特定の実施形態において、コンデンサは、チェアリフト１１０の安全バー１７０に設置された電子マルチメディア部品１６０に、蓄積したエネルギーを提供する。
【００７２】
位置により、第１要素が第２要素の極めて近傍に来ることを可能とし、第２要素から第１要素への送電を可能とする限り、電力供給デバイスを、移動体上の任意の位置に設置することができることに留意されたい。ある実施形態において、この伝送は、誘導性結合などの非接触式の伝送により行われる。例えば、図１のチェアリフト１１０は、安全バーに設置されたデバイスを有することがあり、その結果、ユーザがチェアを降りられるようにバーを上げるとき、デバイスは、ベースステーションにある１つ以上の第２充電コイルの近傍に来る。
【００７３】
特定の実施形態において、移動体は、安全バーに固定されたメディア配信デバイスを備える。メディア配信デバイス内の（一つまたは複数の）ディスプレイは、ＬＣＤ、ＬＥＤ、ＬＣＤ−ＬＥＤなどの高精細度画面であり得る。ディスプレイは、画像またはストリーミングされたビデオなどの動画を表示することができる。他の実施形態において、電子マルチメディア部品は、ＵＳＢポートを備える。特定の実施形態において、電子マルチメディア部品は、コンピュータ可読メモリを備える。そのようなメモリは、ストリーミングデータ、Ｅメールデータ、テキストデータ、ビデオデータ、またはメッセージ通信などのデータの保存を可能とする。他の実施形態において、電子マルチメディア部品は、ストリーミング能力を備える。
【００７４】
電子マルチメディア部品はまた、ＷｉＦｉ技術、一方向ラジオ、双方向ラジオ、およびルーターを備え得る。ある実施形態において、移動体は、ワイヤレスアクセスポイントである。特定の実施形態において、移動体は、公共広告、インスタントメッセージ通信、および広告を可能とする。本開示のデバイスは、映画、テレビ番組、および他の電力需要が高いコンテンツなどの他の種類のメディアを、移動体に設置されたディスプレイ上に表示することを可能とするのに充分な電力を移動体に提供する。
【００７５】
さらなる実施形態において、図１の各移動体１１０は、ＷｉＦｉ「ホットスポット」になる。デバイス１００は、チェアのユーザが、インターネットへアクセスし、任意の種類のメディアコンテンツを受信することを可能とすることを、各チェアリフト１１０に対して可能とするのに充分な電力を提供する。ホットスポットとなる各チェアリフト１１０があれば、スキーリフト全体が、ユーザがインターネットへの接続を維持し、あるチェアから別のチェアへ情報を配信することを可能とするＷｉＦｉ相互接続ネットワークになる。本開示のデバイスによりもたらされる利点がなければ、チェアリフト１１０は、この範囲のデバイスに電力供給するためには、不十分な電力蓄積を有するであろう。
【００７６】
図１Ｂは、安全バー１７０に取り付けられたメディア配信デバイス１６０の拡大図を示す。この実施形態におけるメディア配信デバイス１６０は、安全バー１７０の下側にある接続を介して、エネルギー源に接続される。あるいは、メディア配信デバイス１６０は、安全バー１７０を通る接続によりエネルギー源に接続され得る。メディア配信デバイス１６０が、エネルギーを安全かつ信頼できる方法で受け取りさえすれば、エネルギー源からメディア配信デバイス１６０へのエネルギー伝達に特定の制限はない。
【００７７】
ある実施形態において、メディア配信デバイス１６０は、プロセッサおよびメモリを備える。メモリは、プロセッサにより実行可能な命令を保存する。特定の実施形態において、プロセッサは、動画または一連の画像を表示する命令を実行する。他の実施形態において、プロセッサは、メディア配信デバイス１６０のユーザからの指令に応答するように命令を実行する。例えば、メディア配信デバイス１６０は、ユーザの指令に応答するタッチスクリーンを備え得る。一部の実施形態において、メディア配信デバイス１６０は、ユーザが、ビデオゲームで遊ぶ、インターネットに接続する、ライブラリからメディアを選択する、またはスマートフォンもしくはワイヤレスメディアデバイスなどのデバイスと接続することを可能とする実行可能な命令を備える。
【００７８】
図１Ｃは、電力供給デバイス１００および第２充電部品１５０の拡大図を示す。この実施形態において、第２充電部品１５０は、電力供給デバイス１００の充電コイルへの誘導性結合を可能とする充電コイルである。第１充電部品および第２充電部品は、電力供給デバイス１００において、第２部品１５０からエネルギー源へのエネルギー伝送を可能とする誘導性結合を形成する。他の実施形態において、第１充電部品と第２充電部品との間に接点が作られる。
【００７９】
本開示のデバイスは、他の電子部品に電力供給することもできる。そのような部品としては、移動体が充電領域から出ている全時間中、温かさを維持するシートウォーマーを含む。他の電子部品としては、照明、座席の振動部品などのアミューズメント効果のあるもの、拡声器、スピーカー、および電気を利用する任意の種類のデバイスが挙げられる。
【００８０】
加えて、開示のデバイスは、移動体が、搭載型の電力蓄積部に依存することなく、１つ以上の電子デバイスに電力供給する能力を有さないほとんどの状況で使用され得る。そのような用途の例としては、ローラーコースターなどのアミューズメントパークの乗り物、および移動体が第１地点から第２地点へ移動する他の乗り物が挙げられる。他の例としては、トラム、モノレール、ゴンドラ、または第１部位から第２部位に移動し、移動体により電力供給することができない電子部品を備える任意の輸送手段、車両、もしくは他の移動体が挙げられる。
【００８１】
４．１つ以上のシステムにエネルギーを伝達するための方法
移動体に設置される１つ以上の電子部品に電力供給する方法が、本明細書に開示される。方法は、第１要素（例えば、第１充電コイルまたはワイパー）の移動体への取り付けを含み得る。第１要素は、その後、移動体にも取り付けられるエネルギー蓄積装置に接続される。第１要素およびエネルギー蓄積装置は、移動体上の同一の位置に設置され得るか、移動体上の異なる部位に取り付けられ得る。加えて、第１要素およびエネルギー蓄積装置は、コンテナに設置され得る。ある実施形態において、コンテナは、耐候性である。
【００８２】
方法の態様は、第２要素（例えば、第２充電コイル、またはレールなどの電気接点）をベースステーションに取り付けることを含む。第２要素は、第１要素がベースステーションに取り付けられた第２要素の極めて近傍に来るように、ベースステーションに配置される。第１要素が第２要素の極めて近傍に来るとき、エネルギー蓄積装置は充電される。ある実施形態において、エネルギー充電装置は、スーパーキャパシタなどの１つ以上のコンデンサを備える。
【００８３】
特定の実施形態において、方法は、移動体がベースステーションの外へ移動し、放電ゾーンに入ると、１つ以上の電子部品に電力供給する、１つ以上のコンデンサの放電を含む。１つ以上のコンデンサは、移動体が別のベースステーションに達するまで、１つ以上のコンデンサに蓄積されたエネルギーを、１つ以上の電子部品にさらに供給する。
【００８４】
方法は、移動体がとる経路に沿って、移動体が第２要素の極めて近傍に来ることを可能とする複数の位置の各々に、１つ以上の第２要素を取り付けることをさらに含む。一部の実施形態において、移動体は、特定の経路に沿って移動する間、複数の充電ゾーンを通って移動する。特定の実施形態において、ベースステーションの外で、１つ以上のコンデンサがベースステーションに入る前に完全に放電する確率を最小限にしつつ、１つ以上の電子部品に電力を提供することを可能とするとき、移動体は、移動する。
【００８５】
加えて、方法は、１つ以上のコンデンサを１つ以上のバッテリー（例えば、リチウムバッテリー）に接続することをさらに含み得る。１つ以上のコンデンサは、第１充電コイルに直列に接続され得る。一部の実施形態において、１つ以上のコンデンサは、１つ以上の電子部品と並列に接続される。
【００８６】
開示の方法の態様は、システムを形成する複数の移動体のうちの１つである移動体にある１つ以上の電子部品に電力を提供することを含む。ある実施形態において、各移動体は、システムにある別の移動体と通信する。他の実施形態において、各移動体は、移動体に乗るユーザがシステムにある他の移動体に乗る他のユーザと通信することを可能とする。さらに他の実施形態において、各移動体は、移動体がＷｉＦｉホットスポットになることを可能とするルーターを備える。特定の実施形態において、移動体は、システムに、ＷｉＦｉネットワークを創出する。さらに他の実施形態において、各移動体は、移動体に乗るユーザへのメディアコンテンツのストリーミングを可能とし、コンテンツをある移動体から別の移動体に配信することを可能とする。
【００８７】
本明細書に開示の方法の態様は、システムにおけるマルチメディア体験を創出する１つ以上のメディアデバイスを備える移動体を含む。例えば、各移動体は、他の移動体とメディアコンテンツを共有することができ、コンテンツをコンピュータ可読メモリに保存することができる。システムにある各移動体は、システム内の移動体間で光および音声を同期させることにより、娯楽体験を創出することもできる。
【００８８】
本明細書で述べたように、開示のデバイスおよび方法は、公知の蓄積デバイスと比較して、エネルギーをデバイスに蓄積することができる速度の迅速性を向上させることに加え、開示のデバイスの電力蓄積を向上させることにより、当該実現性のすべてを可能とする。このように、開示のデバイスおよび方法は、現行デバイスの電力消費により従来制限されていた、アミューズメントの乗り物、スキーリフト、トラム、モノレール、ゴンドラ、および他の移動体の改善をここに可能とする。開示の実施形態が例示のものであること、およびそのような実施形態の均等物も本開示の範囲内にあることも、当業者なら認識するであろう。
【図１Ａ】
2021501428.tif 000004
【図１Ｂ】
2021501428.tif 000005
【図１Ｃ】
2021501428.tif 000006
【図２】
2021501428.tif 000007
【図３】
2021501428.tif 000008
【図４】
2021501428.tif 000009
【図５】
2021501428.tif 000010
【図６】
2021501428.tif 000011
【図７Ａ】
2021501428.tif 000012
【図７Ｂ】
2021501428.tif 000013
【図７Ｃ】
2021501428.tif 000014
【図７Ｄ】
2021501428.tif 000015
【図７Ｅ】
2021501428.tif 000016
【国際調査報告】
2021501428.tif 000017
2021501428.tif 000018